(57)【要約】【課題】異物が付着しにくく、弾道がぶれにくく、しかも床を汚しにくいソフトテニスボール２の提供。【解決手段】ソフトテニスボール２は、球殻４と、この球殻４の外面に付着した仕上粉６とを有している。仕上粉６は、帯電防止粉末を含んでいる。好ましい帯電防止粉末は、炭酸塩粉末、金属酸化物粉末、ラウリン酸亜鉛粉末又は穀物粉末である。仕上粉６の量は、０．０２ｇ以上０．１２ｇ以下である。帯電防止粉末の量の、仕上粉６の量に対する比率は、３０質量％以上である。帯電防止粉末の特に好ましい材質は、炭酸マグネシウムである。帯電防止粉末の好ましい他の材質は、炭酸カルシウムである。帯電防止粉末は、炭酸マグネシウム及び炭酸カルシウムの両方を含みうる。帯電防止粉末における炭酸マグネシウムと炭酸カルシウムとの、好ましい質量比は、１／３以上３／１以下である。【選択図】図２
2018057566.tif 000002
【特許請求の範囲】
【請求項１】
球殻と、この球殻の表面に付着した仕上粉とを備えており、
上記仕上粉が、帯電防止粉末を含むソフトテニスボール。
【請求項２】
上記帯電防止粉末が、炭酸塩粉末、金属酸化物粉末、ラウリン酸亜鉛粉末及び穀物粉末からなる群から選択された１種又は２種以上である請求項１に記載のソフトテニスボール。
【請求項３】
上記仕上粉の量が０．０２ｇ以上０．１２ｇ以下である請求項１又は２に記載のソフトテニスボール。
【請求項４】
上記帯電防止粉末の量の、上記仕上粉の量に対する比率が、３０質量％以上である請求項１から３のいずれかに記載のソフトテニスボール。
【請求項５】
上記帯電防止粉末の量が０．０１ｇ以上０．１０ｇ以下である請求項１から４のいずれかに記載のソフトテニスボール。
【請求項６】
上記帯電防止粉末が、炭酸マグネシウム又は炭酸カルシウムを含む請求項１から５のいずれかに記載のソフトテニスボール。
【請求項７】
上記帯電防止粉末が、炭酸マグネシウム及び炭酸カルシウムの両方を含む請求項６に記載のソフトテニスボール。
【請求項８】
上記帯電防止粉末における炭酸マグネシウムと炭酸カルシウムとの質量比が、１／３以上３／１以下である請求項７に記載のソフトテニスボール。
【請求項９】
上記帯電防止粉末が炭酸マグネシウムを含んでおり、この炭酸マグネシウムの量の、上記仕上粉の量に対する比率が、１０質量％以上である請求項１から８のいずれかに記載のソフトテニスボール。
【請求項１０】
上記帯電防止粉末が炭酸マグネシウムを含んでおり、この炭酸マグネシウムの量が０．０１ｇ以上０．１０ｇ以下である請求項１から９のいずれかに記載のソフトテニスボール。
【請求項１１】
球殻を成形する工程、
その内部にヤスリを有する容器に上記球殻と滑粉とを投入し、これらを撹拌する工程、
及び
上記容器に帯電防止粉末を投入し、この帯電防止粉末と上記球殻とを撹拌する工程、
を含むソフトテニスボールの製造方法。
【請求項１２】
球殻を成形する工程、
及び
その内部にヤスリを有する容器内に上記球殻と帯電防止粉末とを投入し、これらを撹拌する工程、
を含むソフトテニスボールの製造方法。
【発明の詳細な説明】
【技術分野】
【０００１】
本発明は、ソフトテニスボールに関する。詳細には、本発明は、ソフトテニスボールの仕上粉の改良に関する。
【背景技術】
【０００２】
ソフトテニスボールは、架橋ゴムからなる球殻と、ゴムバルブとを有している。かかるソフトテニスボールの一例が、特開２００６−１４９７９３公報に開示されている。
【０００３】
ソフトテニスボールはさらに、球殻の表面に付着した仕上粉を有している。仕上粉を有するソフトテニスボールは、白色を呈する。さらに仕上粉は、球殻のシームを目立たなくさせる。仕上粉は、ソフトテニスボールの外観に寄与する。
【０００４】
仕上粉の他の役割は、ソフトテニスボールの帯電の抑制である。帯電していないソフトテニスボールが地面等と接触しても、砂、ホコリ等の異物がその表面に付着しにくい。仕上粉を有するソフトテニスボールは、汚れにくい。
【先行技術文献】
【特許文献】
【０００５】
【特許文献１】特開２００６−１４９７９３公報
【発明の概要】
【発明が解決しようとする課題】
【０００６】
帯電防止の観点からは、多量の仕上粉を有するソフトテニスボールが好ましい。しかし、多量の仕上粉を有するソフトテニスボールがラケットで打撃されると、この仕上粉の影響で、ソフトテニスボールの弾道にぶれが生じる。このソフトテニスボールでは、吹き上がる弾道となる傾向がある。
【０００７】
多量の仕上粉を有するソフトテニスボールが床でバウンドすると、この床に多量の仕上粉が移行する。この移行により、床が汚れる。
【０００８】
本発明の目的は、異物が付着しにくく、弾道がぶれにくく、しかも床を汚しにくいソフトテニスボールの提供にある。
【課題を解決するための手段】
【０００９】
本発明に係るソフトテニスボールは、球殻と、この球殻の表面に付着した仕上粉とを備える。この仕上粉は、帯電防止粉末を含む。
【００１０】
好ましくは、帯電防止粉末は、炭酸塩粉末、金属酸化物粉末、ラウリン酸亜鉛粉末及び穀物粉末からなる群から選択された１種又は２種以上である。
【００１１】
好ましくは、仕上粉の量は、０．０２ｇ以上０．１２ｇ以下である。
【００１２】
好ましくは、帯電防止粉末の量の、仕上粉の量に対する比率は、３０質量％以上である。好ましくは、帯電防止粉末の量は、０．０１ｇ以上０．１０ｇ以下である。
【００１３】
好ましくは、帯電防止粉末は、炭酸マグネシウム又は炭酸カルシウムを含む。好ましくは、帯電防止粉末は、炭酸マグネシウム及び炭酸カルシウムの両方を含む。好ましくは、帯電防止粉末における炭酸マグネシウムと炭酸カルシウムとの質量比は、１／３以上３／１以下である。
【００１４】
好ましくは、帯電防止粉末は、炭酸マグネシウムを含む。炭酸マグネシウムの量の、仕上粉の量に対する比率は、１０質量％以上である。好ましくは、炭酸マグネシウムの量は、０．０１ｇ以上０．１０ｇ以下である。
【００１５】
他の観点によれば、本発明に係るソフトテニスボールの製造方法は、
球殻を成形する工程、
その内部にヤスリを有する容器に上記球殻と滑粉とを投入し、これらを撹拌する工程、
及び
上記容器に帯電防止粉末を投入し、この帯電防止粉末と上記球殻とを撹拌する工程、
を含む。
【００１６】
さらに他の観点によれば、本発明に係るソフトテニスボールの製造方法は、
球殻を成形する工程、
及び
その内部にヤスリを有する容器内に上記球殻と帯電防止粉末とを投入し、これらを撹拌する工程、
を含む。
【発明の効果】
【００１７】
本発明に係るソフトテニスボールは、仕上粉が帯電防止粉末を含んでいるので、帯電しにくい。従ってこのソフトテニスボールには、異物が付着しにくい。このソフトテニスボールは、汚れにくい。
【００１８】
このソフトテニスボールは、仕上粉が帯電防止粉末を含んでいるので、仕上粉の量が少ない場合でも帯電が抑制されうる。仕上粉の量が少量であるソフトテニスボールでは、弾道がぶれにくい。しかもこのソフトテニスボールは、床を汚しにくい。
【図面の簡単な説明】
【００１９】
【図１】図１は、本発明の一実施形態に係るソフトテニスボールが示された一部切り欠き断面図である。
【図２】図２は、図１のソフトテニスボールの一部が示された拡大断面図である。
【図３】図３は、図１のソフトテニスボールの製造に使用される攪拌機が示された模式的断面図である。
【発明を実施するための形態】
【００２０】
以下、適宜図面が参照されつつ、好ましい実施形態に基づいて本発明が詳細に説明される。
【００２１】
図１に示されたソフトテニスボール２は、球殻４を有している。図示されていないが、このソフトテニスボール２は、ゴムバルブも有している。このソフトテニスボール２の質量は、好ましくは、３０ｇ以上３１ｇ以下である。
【００２２】
球殻４は、２つのハーフシェルが接合されることで形成されている。それぞれのハーフシェルの形状は、概ね半球である。ハーフシェルが接合されるので、球殻４は大円状のシームを有する。
【００２３】
球殻４は、ゴム組成物が架橋されることで成形されている。このゴム組成物の基材として、天然ゴム、ポリイソプレン、ポリブタジエン、ポリスチレン、スチレン−ブタジエン共重合体及びエチレン−プロピレン−ジエン三元共重合体が例示される。強度の観点から、天然ゴムが好ましい。ゴム組成物は、硫黄及び加硫促進剤を含んでいる。ゴム組成物が、補強材、着色剤、充填剤、軟化剤等を含んでもよい。球殻４の表面の色は、実質的に白である。球殻４の表面の色が、黄であってもよい。
【００２４】
球殻４は、実質的に球形である。球殻４の直径は、６．０ｃｍ以上７．０ｃｍ以下が好ましい。典型的な球殻４の直径は、約６．６ｃｍである。球殻４の厚みは、約２ｍｍである。球殻４は、中空である。この球殻４に所定量の空気が充填されることにより、ソフトテニスボール２に適度な反発性能が付与される。空気の分子は小さいので、球殻４の中の空気は、この球殻４を通過して外に徐々に漏れ出す。漏れ出しが生じた場合、空気が補充される。この補充に、前述のゴムバルブが用いられる。
【００２５】
図２は、図１のソフトテニスボール２の一部が示された拡大断面図である。図２に示されるように、このソフトテニスボール２は、仕上粉６を有している。この仕上粉６は、多数の微小な粒子８の集合である。仕上粉６は、球殻４の外面に付着している。仕上粉６は、球殻４に接合されてはいない。
【００２６】
仕上粉６の色目は、概ね白である。仕上粉６は、ソフトテニスボール２の白色度を高める。さらに仕上粉６は、球殻４のシームを目立たなくさせる。仕上粉６は、ソフトテニスボール２の外観に寄与する。
【００２７】
この仕上粉６は、帯電防止粉末を含んでいる。従ってこのソフトテニスボール２では、使用前の帯電が抑制される。このソフトテニスボール２では、使用中の帯電も抑制される。ソフトテニスボール２が地面等と接触しても、砂、ホコリ等の異物がその表面に付着しにくい。仕上粉６を有するソフトテニスボール２は、汚れにくい。
【００２８】
本発明では、帯電防止粉末の概念にタルクは含まれない。従ってこの帯電防止粉末は、衛生的である。衛生の観点から、好ましくは、帯電防止粉末は、硫黄元素を有する物質も含まない。
【００２９】
このソフトテニスボール２の製造では、まずゴム組成物からなるハーフシェルが成形される。次に、２つのハーフシェルが、金型内で接合される。このとき、ゴム組成物の基材ゴムには、架橋反応が生じる。この架橋により、球殻４が完成する。
【００３０】
架橋反応によって得られた球殻４は、バフ処理に供される。図３には、このバフ処理に使用される攪拌機１０が示されている。この攪拌機１０は、外筒１２、内筒１４及びホッパー１６を有している。外筒１２は、蓋１８を有している。内筒１４は、外筒１２に収容されている。内筒１４は、外筒１２と同軸に配置されている。内筒１４は、回転可能である。図示されていないが、内筒１４の外周面には、ヤスリとしてのサンドペーパが貼り付けられている。ホッパー１６には、滑粉としてのタルク２０が蓄えられている。外筒１２は、本発明に言う「容器」である。
【００３１】
外筒１２の蓋１８が開けられ、この外筒１２に複数の球殻４が投入される。内筒１４が回転しつつ、外筒１２に、ホッパー１６から所定量のタルク２０が所定時間をかけて投入される。内筒１４の回転により、球殻４とタルク２０とが撹拌される。
【００３２】
撹拌により、球殻４の表面にタルク２０が付着する。撹拌により、内筒１４のサンドペーパーに球殻４が擦れる。この擦れにより、球殻４は研磨される。研磨によりバフ粉が生じる。サンドペーパーと球殻４との間にタルク２０が介在するので、研磨時の摩擦力が抑制される。タルク２０は、研磨に起因する発熱を抑制する。タルク２０は、球殻４同士の間に介在し、球殻４同士の粘着を抑制する。さらにタルク２０は、バフ粉と球殻４との間に介在し、バフ粉の球殻４への付着を抑制する。バフ粉は落下し、外筒１２の下部にたまる。過剰なタルク２０も、外筒１２の下部にたまる。
【００３３】
所定時間の撹拌の後、内筒１４の回転が停止される。外筒１２の下部にたまったバフ粉及びタルク２０が、取り出される。内筒１４の回転が再開されて、外筒１２に再度タルク２０が投入され、撹拌される。タルク２０の投入と撹拌とが繰り返されることで、研磨が進行する。研磨により、球殻４の表面に付着した異物が除去される。研磨により、球殻４の表面に適度な粗さが付与される。研磨により、球殻４の真球度が向上する。
【００３４】
所定回数の撹拌の後、内筒１４の回転が停止される。外筒１２の下部にたまったバフ粉及びタルク２０が、取り出される。内筒１４の回転が再開されて、外筒１２に所定量の帯電防止粉末が所定時間をかけて投入される。内筒１４の回転により、球殻４と帯電防止粉末とが撹拌される。撹拌により、球殻４の表面からタルク２０の一部が脱落する。撹拌により、球殻４の表面に帯電防止粉末が付着する。換言すれば、球殻４の表面において、タルク２０の一部が帯電防止粉末に置換される。
【００３５】
所定時間の撹拌の後、内筒１４の回転が停止される。外筒１２の下部にたまったバフ粉、タルク２０及び帯電防止粉末が、取り出される。内筒１４の回転が再開されて、外筒１２に再度帯電防止粉末が投入され、撹拌される。帯電防止粉末の投入と撹拌とが繰り返されることで、研磨が進行する。帯電防止粉末の投入と撹拌とが繰り返されることで、タルク２０から帯電防止粉末への置換も進行する。こうして、ソフトテニスボール２が完成する。このソフトテニスボール２は、外筒１２から取り出される。このソフトテニスボール２では、球殻４の表面に、仕上粉６として、タルク２０と帯電防止粉末とが付着している。
【００３６】
球殻４の表面に、仕上粉６として、帯電防止粉末のみが付着してもよい。撹拌の繰り返しの途中でタルク２０を除去する工程が導入されれば、球殻４の表面に仕上粉６として帯電防止粉末のみが付着するソフトテニスボール２が、得られうる。滑粉として、タルク２０に代えて帯電防止粉末が使用されることでも、球殻４の表面に仕上粉６として帯電防止粉末のみが付着するソフトテニスボール２が、得られうる。
【００３７】
１つのソフトテニスボール２に付着する仕上粉６の量は、０．０２ｇ以上０．１２ｇ以下が好ましい。この量が０．０２ｇ以上であるソフトテニスボール２は、帯電しにくいので異物が付着しにくい。この観点から、この量は０．０３ｇ以上がより好ましく、０．０４ｇ以上が特に好ましい。この量が０．１２ｇ以下であるソフトテニスボール２では、弾道が安定する。さらに、この量が０．１２ｇ以下であるソフトテニスボール２は、床を汚しにくい。これらの観点から、この量は０．１０ｇ以下がより好ましく、０．０８ｇ以下が特に好ましい。
【００３８】
帯電防止粉末の量の、仕上粉６の量に対する比率は、３０質量％以上が好ましい。この比率が３０質量％以上であるソフトテニスボール２は、帯電しにくいので異物が付着しにくい。この比率が３０質量％以上であるソフトテニスボール２では、仕上粉６の量が小さく設定されうる。これらの観点から、この比率は５０質量％以上がより好ましく、７０質量％以上が特に好ましい。帯電抑制の観点から、この比率が１００質量％であってもよい。帯電防止粉末が滑粉よりも高価である場合、経済性の観点から、この比率は９５％以下が好ましく、９０％以下がより好ましく、８５％以下が特に好ましい。
【００３９】
１つのソフトテニスボール２に付着する帯電防止粉末の量は、０．０１ｇ以上０．１０ｇ以下が好ましい。この量が０．０１ｇ以上であるソフトテニスボール２は、帯電しにくいので異物が付着しにくい。この観点から、この量は０．０２ｇ以上がより好ましく、０．０３ｇ以上が特に好ましい。この量が０．１０ｇ以下であるソフトテニスボール２では、弾道が安定する。さらに、この量が０．１０ｇ以下であるソフトテニスボール２は、床を汚しにくい。これらの観点から、この量は０．０９ｇ以下がより好ましく、０．０８ｇ以下が特に好ましい。
【００４０】
帯電防止粉末としては、滑粉（この実施形態ではタルク２０）に比べて帯電防止効果の高い粉末が好ましい。この帯電防止粉末は、球殻４への付着量が少なくても、ソフトテニスボール２への異物の付着を抑制しうる。少ない付着量は、弾道の安定に寄与する。さらに、少ない付着量は、床の汚れ防止に寄与する。
【００４１】
好ましい帯電防止粉末として、炭酸塩粉末、金属酸化物粉末、ラウリン酸亜鉛粉末及び穀物粉末が例示される。２種以上の粉末が併用されてもよい。炭酸塩の具体例として、炭酸マグネシウム及び炭酸カルシウムが例示される。金属酸化物の具体例として、酸化亜鉛及びアルミナが挙げられる。穀物粉末の具体例として、小麦粉、コーンスターチ、米粉、豆粉及び芋粉が挙げられる。
【００４２】
帯電防止粉末の好ましい材質は、炭酸塩である。炭酸塩は、帯電防止性能に優れる。炭酸塩は、付着量が少なくても、十分に帯電を抑制する。帯電防止の観点から、炭酸マグネシウム及び炭酸カルシウムが好ましく、炭酸マグネシウムが特に好ましい。
【００４３】
炭酸マグネシウムには、天然鉱物であるマグネサイトに由来するタイプと、マグネシウムイオンを含む水溶液での化学反応による沈殿で得られるタイプとが含まれる。沈殿で得られるタイプは、塩基性炭酸マグネシウムと称される。塩基性炭酸マグネシウムでは、粒子径のバラツキが小さく、かつそれぞれの粒子の表面が滑らかである。この塩基性炭酸マグネシウムは、帯電防止効果に優れる。
【００４４】
帯電防止の観点から、この炭酸マグネシウムの量の、仕上粉６の量に対する比率は、１０質量％以上が好ましい。この比率が１０質量％以上であるソフトテニスボール２は、帯電しにくいので異物が付着しにくい。この比率が１０質量％以上であるソフトテニスボール２では、仕上粉６の量が小さく設定されうる。これらの観点から、この比率は３０質量％以上がより好ましく、５０質量％以上が特に好ましい。この比率が１００質量％であってもよい。
【００４５】
１つのソフトテニスボール２に付着する炭酸マグネシウムの量は、０．０１ｇ以上０．１０ｇ以下が好ましい。この量が０．０１ｇ以上であるソフトテニスボール２は、帯電しにくいので異物が付着しにくい。この観点から、この量は０．０２ｇ以上がより好ましく、０．０３ｇ以上が特に好ましい。この量が０．１０ｇ以下であるソフトテニスボール２では、弾道が安定する。さらに、この量が０．１０ｇ以下であるソフトテニスボール２は、床を汚しにくい。これらの観点から、この量は０．０９ｇ以下がより好ましく、０．０８ｇ以下が特に好ましい。
【００４６】
炭酸マグネシウムは、高価である。一方、炭酸カルシウムは、炭酸マグネシウムよりも安価である。炭酸マグネシウムと共に炭酸カルシウムを含む帯電防止粉末を有するソフトテニスボール２では、帯電防止高価と経済性とが両立されうる。
【００４７】
炭酸マグネシウムと炭酸カルシウムとの質量比は、１／３以上３／１以下が好ましい。この質量比が１／３以上であるソフトテニスボール２は、帯電しにくいので異物が付着しにくい。この観点から、この質量比は２／５以上がより好ましく、３／７以上が特に好ましい。この質量比が３／１以下であるソフトテニスボール２は、経済性に優れる。この観点から、この質量比は５／２以下がより好ましく、７／３以下が特に好ましい。
【００４８】
炭酸カルシウムには、石灰岩に由来するタイプと、カルシウムイオンを含む水溶液での化学反応による沈殿で得られるタイプとが含まれる。沈殿で得られるタイプは、軽質炭酸カルシウムと称される。軽質炭酸カルシウムでは、粒子径のバラツキが小さく、かつそれぞれの粒子の表面が滑らかである。この軽質炭酸カルシウムは、帯電防止効果に優れる。
【実施例】
【００４９】
以下、実施例によって本発明の効果が明らかにされるが、この実施例の記載に基づいて本発明が限定的に解釈されるべきではない。
【００５０】
［実施例１］
球殻及びゴムバルブを有する球殻を成形した。図３に示された攪拌機の外筒に、２００個の球殻を投入した。内筒を回転させつつ、この外筒に６０ｇの滑粉（タルク）を、３０秒かけて投入し、撹拌した。撹拌時間は、１０分であった。攪拌機を停止させ、外筒の下部にたまったバフ粉及びタルクを取り出した。内筒を回転させつつ、外筒に６０ｇの滑粉（タルク）を３０秒かけて投入し、撹拌した。撹拌時間は、１０分であった。この投入、撹拌、停止及び取り出しを、２４回繰り返した。この攪拌機の、内筒の回転速度は、２３０ｒｐｍである。
【００５１】
含水塩基性炭酸マグネシウムの粉末（神島化学工業社の商品名「金星」）と、軽質炭酸カルシウム粉末（東洋電化工業社）とが混合された帯電防止粉末を準備した。この帯電防止粉末における炭酸マグネシウムと炭酸カルシウムとの質量比は、ほぼ１／１であった。内筒を回転させつつ、外筒に６０ｇの帯電防止粉末を３０秒かけて投入し、撹拌した。撹拌時間は、１０分であった。攪拌機を停止させ、外筒の下部にたまったバフ粉、タルク及び帯電防止粉末を取り出した。内筒を回転させつつ、外筒に６０ｇの帯電防止粉末を３０秒かけて投入し、撹拌した。撹拌時間は、１０分であった。こうして、実施例１のソフトテニスボールを得た。このソフトテニスボールでは、約０．０２ｇのタルク、約０．０２ｇの含水塩基性炭酸マグネシウム及び約０．０２ｇの軽質炭酸カルシウムが、球殻に付着している。
【００５２】
［実施例２−６及び１１−１３］
タルク、炭酸マグネシウム粉末及び炭酸カルシウム粉末の量を変更し、撹拌時間を変更した他は実施例１と同様にして、実施例２−６及び１１−１３のソフトテニスボールを得た。
【００５３】
［比較例１］
外筒にタルクを投入せずに撹拌を開始したところ、発熱によって球殻が膨張したので、撹拌を停止した。ソフトテニスボールを得ることは、できなかった。
【００５４】
［比較例２−４］
帯電防止粉末に代えて所定量のタルクを外筒に投入し、撹拌時間を変更した他は実施例１と同様にして、比較例２−４のソフトテニスボールを得た。
【００５５】
［実施例７−１０］
滑粉として、タルクに代えて、所定量の炭酸マグネシウム粉末又は炭酸カルシウム粉末を外筒に投入し、撹拌時間を変更した他は実施例１と同様にして、実施例７−１０のソフトテニスボールを得た。
【００５６】
［実施例１４−１８］
帯電防止粉末として、所定量の酸化亜鉛、アルミナ、ラウリン酸亜鉛、小麦粉、硫酸バリウム又は硫化亜鉛を外筒に投入した他は実施例１と同様にして、実施例１４−１８のソフトテニスボールを得た。
【００５７】
［砂の付着量］
ゴム製の手袋をはめた実験者が、ポリプロピレン製の包装袋に、２つのソフトテニスボールを収納した。段ボール箱に、６個の包装袋を収容した。この段ボール箱を、３０℃の環境下に１２時間保持し、さらに１５℃の環境下に１２時間保持した。この環境変化を、３回繰り返した。砂入り人工芝（住友ゴム工業社の商品名「オムニコート」）用の砂を、箱に敷き詰めた。気温が約２３．５℃であり湿度が約３５％である環境下で、ゴム製の手袋をはめた実験者が、包装袋からソフトテニスボールを取り出した。このソフトテニスボールを砂の上に置き、２／３回の回転をさせた。このソフトテニスボールに付着した砂の質量を、測定した。４個のソフトテニスボールについてなされた測定結果の平均が、下記の表１−５に示されている。
【００５８】
［床の汚れ］
ホイル式衝撃試験機にて、ソフトテニスボールを１３０ｋｍ／ｈｒｓの速度で発射し、木製の床に衝突させた。この床の汚れの程度を目視で観察した。下記の基準に従って、格付けを行った。
Ａ：汚れがほとんどない。
Ｂ：汚れの程度が小さい。
Ｃ：汚れの程度が大きい。
Ｄ：汚れの程度が極めて大きい。
この結果が、下記の表１−５に示されている。
【００５９】
【表１】
2018057566.tif 000003
【００６０】
【表２】
2018057566.tif 000004
【００６１】
【表３】
2018057566.tif 000005
【００６２】
【表４】
2018057566.tif 000006
【００６３】
【表５】
2018057566.tif 000007
【００６４】
表１−５に示されるように、各実施例のソフトテニスボールは、異物の付着しにくさと、床の汚しにくさとのバランスに優れている。この評価結果から、本発明の優位性は明らかである。
【産業上の利用可能性】
【００６５】
本発明に係るソフトテニスボールは、公認球として使用されうる。このソフトテニスボールはさらに、練習球としても使用されうる。
【符号の説明】
【００６６】
２・・・ソフトテニスボール
４・・・球殻
６・・・仕上粉
８・・・粒子
１０・・・攪拌機
１２・・・外筒
１４・・・内筒
１６・・・ホッパー
１８・・・蓋
２０・・・タルク
【図１】
2018057566.tif 000008
【図２】
2018057566.tif 000009
【図３】
2018057566.tif 000010